(57)【特許請求の範囲】
【請求項１】
下面に吸込口を設けた吸込具と、前記吸込具内に回転自在に配された回転ブラシと、前記回転ブラシを駆動するモータと、前記吸込口の前後部に設けられかつ前記モータの回転子または固定子と連動して前記吸込具移動時に前記吸込口の進行方向側が収納され後方側が突出する遮蔽板と、前記吸込具に吸引力を作用させる電動送風機を収容する掃除機本体と、前記遮蔽板に接続された可動アームと、前記可動アームに設けた突起と、前記可動アームの突起上方に設けられ小突起からなる戻り防止用係止部と、前記可動アームの突起下方に設けられ大突起からなる過突出防止用係止部とを備え、前記遮蔽板は、前記可動アームの突起と前記小突起とにより振動での戻り防止されると共に、前記可動アームの突起と前記大突起とにより移動が抑制され過突出防止される構成とした電気掃除機。
【発明の詳細な説明】
【０００１】
【発明の属する技術分野】
本発明は、一般家庭等で使用される電気掃除機に関するものである。
【０００２】
【従来の技術】
図９から図１１に従来の電気掃除機で使用される吸込具の構成を示す。図９（ａ）は前進時、図９（ｂ）は後退時を表している。図において、１は吸込具本体で、底面には吸込口２を有している。３ａ，３ｂは吸込具本体１移動用の車輪であり、また吸込具本体１の後方には吸込口２と連通する接続管４が設けられている。５は前記車輪３ａ，３ｂにて接地している床面で、進行方向に対して吸込口２後部にはゴム製長板状の遮蔽板６が設けられている。７は絨毯掃除用の回転ブラシで、モータ８と伝達部９によって連結している。１０は接続管４に連通する吸込具取付管で、ホース１１を経て、掃除機本体１２まで接続されている。１３はゴミを回収蓄積する集塵室であり、１４は吸引力を発生させる電動送風機である。ここで矢印Ａはゴミの流れを表している。
【０００３】
以上の構成における動作について説明すると、掃除機本体１２内の電動送風機１４が吸引力を発生させると、集塵室１３、ホース１１、吸込具取付管１０、接続管４を通して吸込口２に吸引力が発生する。そして遮蔽板６によって後方からの空気の流れが遮蔽されているため、集中して吸込口２の前方からゴミが吸引され、遮蔽板６が存在しない場合と比べて高い集塵能力を得ることができる。さらにモータ８の回転力が伝達部９を経て回転ブラシ７へと伝わり、絨毯の毛足に入り込んだゴミを掻き出すようにしている。
【０００４】
【発明が解決しようとする課題】
上記電気掃除機では、吸込具本体１の進行方向の如何に係わらず遮蔽板６が吸込口２後方に固定されており、特に後退時吸込口２の進行方向前方に配置される遮蔽板６がゴミを遮り、遮蔽板６より進行方向前方のゴミを吸い込めず、吸込具の集塵能力を低下させている。
【０００５】
本発明は、遮蔽板６より進行方向前方のゴミを吸い込み易くして、かつ吸引力を維持し集塵能力を高めた電気掃除機を提供することを目的とする。
【０００６】
【課題を解決するための手段】
下面に吸込口を設けた吸込具と、前記吸込具内に回転自在に配された回転ブラシと、前記回転ブラシを駆動するモータと、前記吸込口の前後部に設けられかつ前記モータの回転子または固定子と連動して前記吸込具移動時に前記吸込口の進行方向側が収納され後方側が突出する遮蔽板と、前記吸込具に吸引力を作用させる電動送風機を収容する掃除機本体と、前記遮蔽板に接続された可動アームと、前記可動アームに設けた突起と、前記可動アームの突起上方に設けられ小突起からなる戻り防止用係止部と、前記可動アームの突起下方に設けられ大突起からなる過突出防止用係止部とを備え、前記遮蔽板は、前記可動アームの突起と前記小突起とにより振動での戻り防止されると共に、前記可動アームの突起と前記大突起とにより移動が抑制され過突出防止される構成としたものである。
【０００７】
【発明の実施の形態】
本発明の請求項１記載の発明は、下面に吸込口を設けた吸込具と、前記吸込具内に回転自在に配された回転ブラシと、前記回転ブラシを駆動するモータと、前記吸込口の前後部に設けられかつ前記モータの回転子または固定子と連動して前記吸込具移動時に前記吸込口の進行方向側が収納され後方側が突出する遮蔽板と、前記吸込具に吸引力を作用させる電動送風機を収容する掃除機本体と、前記遮蔽板に接続された可動アームと、前記可動アームに設けた突起と、前記可動アームの突起上方に設けられ小突起からなる戻り防止用係止部と、前記可動アームの突起下方に設けられ大突起からなる過突出防止用係止部とを備え、前記遮蔽板は、前記可動アームの突起と前記小突起とにより振動での戻り防止されると共に、前記可動アームの突起と前記大突起とにより移動が抑制され過突出防止される構成としたもので、モータ回転子の回転力またはモータ固定子の反力を利用して遮蔽板を収納及び突出させ、進行方向前方のゴミを吸い易くすると共に、常に高い吸引力を維持することが可能で、さらにゴミを遮蔽板に衝突させて後方に逃がさず吸引することができる。
また、遮蔽板がモータの回転子と連動する場合、回転ブラシは進行方向に対して逆回転となるため、絨毯の毛足に入り込んだゴミを掻き出すようにして、掃除性能を高めている。
さらに、遮蔽板が固定子と連動する場合、回転ブラシは進行方向に対して正回転となるため、少ない操作力で吸込具を移動することができる。
また、吸込具本体が一方向に移動中に反動や振動で遮蔽部が戻ることがなく、モータより過剰な伝達力を受けた場合には遮蔽板が突出し過ぎて床面に高速で衝突し高い摩擦力を生じることがないものである。
【０００８】
【実施例】
以下、本発明の実施例について、図１から図８を用いて説明する。
【０００９】
（実施例１）
本発明の第１の実施例を図１及び図２により説明する。なお、吸込具本体と接続管及びそれに連通する掃除機本体等との配置関係は従来の構成と同等なので、その詳細な説明を省略する。本実施例の特徴は吸込具本体底面にあるので、以下それを詳細に説明する。図１は吸込具の側面断面図で、図２は平面断面図であり、接続管は欠載した円管を表すため断面としていない。
【００１０】
図１及び図２において、１は吸込具本体で、下面には吸込口２を有している。３ａ，３ｂは吸込具本体１移動用の車輪であり、また吸込具本体１の後方には吸込口２と連通する接続管４が設けられている。５は前記車輪３ａ，３ｂにて接地している床面で、また６ａ，６ｂはゴム製長板状の遮蔽板で吸込口２の前後に設けられている。７は絨毯掃除用の回転ブラシで、モータ８とゴム製伝達ベルト９によって連結している。１６及び１７はモータ８の回転子及び固定子であり、固定子１７は吸込具本体１に固定されている。２１は回転子１６と連結したクラッチで、このクラッチ２１にはレバー２２が設けられており、上部先端を回動自由に接続した可動アーム２３ａ，２３ｂを介して遮蔽板６ａ，６ｂと連動している。２４は吸込具本体下面に設けた移動方向を検知するための突起であり、床面５と接触している。２５ａは可動アーム２３ａに設けた突起で、その上方には戻り防止用の小突起２６ａ、下方には過突出防止用の大突起２７ａが設けられている。ここで矢印Ｂは回転ブラシ７の回転方向を示している。
【００１１】
以上の構成における動作について説明すると、掃除機本体内の電動送風機により吸引力が発生すると、吸込口２の圧力が低下し吸引が行われる。さらに吸込具本体１を前進させると、検知用突起２４のマイクロスイッチが入りモータ８が進行方向と逆回転に回転する。同時に伝達ベルト９を介して回転ブラシ７が矢印Ｂの方向に回転する。さらにモータ８の回転子１６と連結したクラッチ２１が回転し、レバー２２を介して可動アーム２３ａ，２３ｂおよびこれと連接した遮蔽版６ａ、６ｂが収納及び突出される。このとき可動アーム２３ｂ上に設けた可動アーム突起２５ｂが大突起２７ｂにて移動が抑制され、また小突起２６ｂにより振動などで簡単に戻ることがない。後退時は記号ｂとａを読み替えた動作となる。
【００１２】
以上のように本実施例の電気掃除機によれば、モータ８の回転子１６と連動して遮蔽板６を収納及び突出させるので、吸込具本体１の移動状態に関わらず確実に、収納した遮蔽板６により進行方向前方のゴミを吸い易くすると共に、突出接地した遮蔽板６により常に高い吸引力を維持することが可能で、さらにゴミを遮蔽板６に衝突させて後方に逃がさず吸引して吸込性能を高めることができる。また通常、回転ブラシ７は進行方向に対して逆回転となるため、絨毯の毛足に入り込んだゴミを掻き出すようにして、掃除性能を高めている。
【００１３】
なお遮蔽版６を弾性体や低摩擦抵抗材質にすることで、モータより過剰な伝達力を受けた場合でも、遮蔽板６が突出し過ぎて床面を傷付けたり、高い摩擦力を生じて操作性を低下させることがない。
【００１４】
またモータ８とクラッチ２１またはレバー２２との間にギア部を設けることで、モータ８の回転方向やトルク及び回転数に関わらず、確実にかつ負担をかけずに遮蔽部６を収納及び突出させることが可能で、常に高い吸い込み性能を得ることができ、さらに耐久性を高めることもできる。
【００１５】
また遮蔽板６と吸込具本体１とを一体化して、車輪３以外の吸込具全体が前傾もしくは後傾させることで、吸込具を簡単な構成で実現することも可能である。
【００１６】
（実施例２）
本発明の第２の実施例を図３及び図４により説明する。なお、吸込具の基本構成は上記第１の実施例と同等であるので、同一構成部品には同一符号を付しその詳細な説明を省略するとともに、本実施例の特徴部分である遮蔽板近傍につき、以下それを詳細に説明する。
【００１７】
図３は吸込具の側面断面図で、図４は平面断面図であり、接続管４は欠載した円管を表すため断面としていない。
【００１８】
図３及び図４において、モータ８の固定子１７にクラッチ２１が設けられており、モータ８の反力を受けてモータ８の回転方向とは逆方向にレバー２２を動作させる。
【００１９】
このことからモータ８の固定子１７と連動して遮蔽板６を収納及び突出させるので、吸込具本体１の移動状態に関わらず確実に、収納した遮蔽板６により進行方向前方のゴミを吸い易くすると共に、突出接地した遮蔽板６により常に高い吸引力を維持することが可能で、さらにゴミを遮蔽板６に衝突させて後方に逃がさず吸引して吸込性能を高めることができる。また通常、回転ブラシ７は進行方向に対して正回転となるため、少ない操作力で吸込具を移動することができる。
【００２０】
（参考例１）
本発明の第１の参考例を図５及び図６により説明する。なお、吸込具の基本構成は上記第１の実施例と同等であるので、同一構成部品には同一符号を付しその詳細な説明を省略するとともに、本参考例の特徴部分である遮蔽板近傍につき、以下それを詳細に説明する。
【００２１】
図５は吸込具の側面断面図で、図６は平面断面図であり、接続管４は欠載した円管を表すため断面としていない。
【００２２】
図５及び図６において、モータ８は回転ブラシ７の内部に設けられており、回転子１６が直接回転ブラシ７に回転力を与えている。固定子１７は吸込具本体１に固定されている。
【００２３】
ここでモータ８が回転すると、回転子１６が回転ブラシ７を回転させ、さらにクラッチ２１も一緒に回転させる。
【００２４】
このことからモータ８の回転子１６と連動して遮蔽板６を収納及び突出させるので、吸込具本体１の移動状態に関わらず確実に、収納した遮蔽板６により進行方向前方のゴミを吸い易くすると共に、突出接地した遮蔽板６により常に高い吸引力を維持することが可能で、さらにゴミを遮蔽板６に衝突させて後方に逃がさず吸引して吸込性能を高めることができる。また通常、回転ブラシ８は進行方向に対して逆回転となるため、絨毯の毛足に入り込んだゴミを掻き出すようにして、掃除性能を高めている。また回転ブラシ７内部にモータ８が設けられているので、吸込具を小型にしている。
【００２５】
（参考例２）
本発明の第２の参考例を図７及び図８により説明する。なお、吸込具の基本構成は上記第１の参考例と同等であるので、同一構成部品には同一符号を付しその詳細な説明を省略するとともに、本参考例の特徴部分である遮蔽板近傍につき、以下それを詳細に説明する。
【００２６】
図７は吸込具の側面断面図で、図８は平面断面図であり、接続管４は欠載した円管を表すため断面としていない。
【００２７】
図７及び図８において、モータ８は回転ブラシ７の内部に設けられており、回転子１６が直接回転ブラシ７に回転力を与えている。固定子１７は片端を軸受け３１に回動自由に指示されており、さらにクラッチ２１は固定子１７と連結している。
【００２８】
ここでモータ８が回転すると、このことからモータ８の固定子１７と連動して遮蔽板６を収納及び突出させるので、吸込具本体１の移動状態に関わらず確実に、収納した遮蔽板６により進行方向前方のゴミを吸い易くすると共に、突出接地した遮蔽板６により常に高い吸引力を維持することが可能で、さらにゴミを遮蔽板６に衝突させて後方に逃がさず吸引して吸込性能を高めることができる。また通常、回転ブラシ７は進行方向に対して正回転となるため、少ない操作力で吸込具を移動することができる。また回転ブラシ７内部にモータ８が設けられているので、吸込具を小型にしている。
【００２９】
【発明の効果】
本発明の請求項１記載の発明によれば、モータの回転子と連動して遮蔽板を収納及び突出させるので、吸込具本体の移動状態に関わらず確実に、収納した遮蔽板により進行方向側のゴミを吸い易くすると共に、突出接地した遮蔽板により常に高い吸引力を維持することが可能で、さらにゴミを遮蔽板に衝突させて後方に逃がさず吸引して吸込性能を高めることができる。また、遮蔽板がモータの回転子と連動する場合、回転ブラシは進行方向に対して逆回転となるため、絨毯の毛足に入り込んだゴミを掻き出すようにして、掃除性能を高めている。さらに、遮蔽板が固定子と連動する場合、回転ブラシは進行方向に対して正回転となるため、少ない操作力で吸込具を移動することができる。
また、戻り防止用係止部により、吸込具本体が一方向に移動中に反動や振動で遮蔽部が戻ることがなく、常に高い吸い込み性能を得ることができる。また、突出防止用係止部により、モータより過剰な伝達力を受けた場合に遮蔽板が突出し過ぎて床面を傷付けたり、高い摩擦力を生じて操作性を低下させることがないものである。
【図面の簡単な説明】
【図１】  （ａ）本発明の第１の実施例による電気掃除機の吸込具の側断面図（前進時）
（ｂ）同吸込具の側断面図（後進時）
【図２】  同吸込具の平面略断面図
【図３】  （ａ）本発明の第２の実施例による電気掃除機の吸込具の側断面図（前進時）
（ｂ）同吸込具の側断面図（後進時）
【図４】  同吸込具の平面略断面図
【図５】  （ａ）本発明の第１の参考例による電気掃除機の吸込具の側断面図（前進時）
（ｂ）同吸込具の側断面図（後進時）
【図６】  同吸込具の平面略断面図
【図７】  （ａ）本発明の第２の参考例による電気掃除機の吸込具の側断面図（前進時）
（ｂ）同吸込具の側断面図（後進時）
【図８】  同吸込具の平面略断面図
【図９】  （ａ）従来の電気掃除機の吸込具の側断面図（前進時）
（ｂ）同吸込具の側断面図（後進時）
【図１０】  同吸込具の平面略断面図
【図１１】  同吸込具を使用した電気掃除機の全体構成図
【符号の説明】
１  吸込具本体
２  吸込口
３ａ，３ｂ  車輪
４  接続管
５  床面
６，６ａ，６ｂ  遮蔽部
７  回転ブラシ
８  モータ
１６  回転子
１７  固定子
２１  クラッチ
２２  レバー
２３ａ，２３ｂ  可動アーム
２４  検知用突起
２５ａ，２５ｂ  可動アーム突起
２６ａ，２６ｂ  小突起
２７ａ，２７ｂ  大突起
【図１】
0003855578.tif 000002
【図２】
0003855578.tif 000003
【図３】
0003855578.tif 000004
【図４】
0003855578.tif 000005
【図５】
0003855578.tif 000006
【図６】
0003855578.tif 000007
【図７】
0003855578.tif 000008
【図８】
0003855578.tif 000009
【図９】
0003855578.tif 000010
【図１０】
0003855578.tif 000011
【図１１】
0003855578.tif 000012